(57)【要約】【課題】印刷処理を実行する前に、印刷設定に対する重複処理がなされる可能性を報知する。【解決手段】画像処理装置１０がダイレクト印刷を受け付けて、ファイル形式変換サーバ５６で実行された印刷設定情報ｃ１と、ファイル形式変換サーバ５６で印刷可能なファイル形式に変換された後のデータに付加された印刷設定情報ｃ２とを比較することで、印刷設定に基づく重複処理が実行される可能性を判断し、重複する可能性がある場合は、印刷を一時的に中断し、画像処理装置１０に対峙して印刷結果を待っているユーザ５０に報知するようにした。報知は、より具体的には、画像処理装置１０のＵＩ３０のタッチパネル３０Ａにプレビュー画面を表示する、或いは、印刷設定の重複処理の可能を示唆するメッセージ（例えば、「２ｕｐ処理が２回実行されます」等）を表示する、の少なくとも一方を実行する。【選択図】図５
2018176629.tif 000002
【特許請求の範囲】
【請求項１】
サポートしていない形式の画像情報を受け付けた場合に、外部サーバによって前記画像情報をサポートしている形式に変換して画像形成する場合に、変換前後の印刷設定情報を比較し、印刷設定情報が重複している場合に、プレビュー画面又は重複していることを示すメッセージの少なくとも一方を表示する表示制御手段を有する画像処理装置。
【請求項２】
サポートしていない形式の画像情報を受け付けた場合に、外部サーバによって前記画像情報をサポートしている形式に変換して画像形成する場合に、変換前後の印刷設定情報に基づく処理結果としての記録用紙の枚数を比較し、変換後の記録用紙の枚数が変換前の記録用紙の枚数よりも少ない場合に、プレビュー画面又は重複していることを示すメッセージの少なくとも一方を表示する表示制御手段を有する画像処理装置。
【請求項３】
比較する変換前後の印刷設定情報が、画像の拡大又は縮小処理を必須とする印刷設定である請求項１又は請求項２記載の画像処理装置。
【請求項４】
比較する変換前後の印刷設定情報が、１枚の記録用紙に複数ページ分の画像を割り当てる印刷設定である請求項１又は請求項２記載の画像処理装置。
【請求項５】
前記印刷設定情報の変更を指示可能な指示手段をさらに有する請求項１〜請求項４の何れか１項記載の画像処理装置。
【請求項６】
前記サポートしていない形式の画像情報が、プリンタドライバを介さず、情報端末装置又は記憶媒体から、直接、画像処理装置本体へ画像情報を送出するダイレクト印刷で受け付けた画像情報である請求項１〜請求項５の何れか１項記載の画像処理装置。
【発明の詳細な説明】
【技術分野】
【０００１】
本発明は、画像処理装置に関する。
【背景技術】
【０００２】
特許文献１には、ＵＳＢ（Universal Serial Bus）ダイレクト印刷において、印刷できないファイル形式の場合、ファイル形式変換サーバで印刷可能なファイル形式に変換して印刷することが記載されている。
【０００３】
特許文献２には、外部装置にて形式を変換させた画像データから、Ｎが２以上であるＮｉｎ１画像を生成する場合に、ユーザの所望に応じたＮｉｎ１画像のページを効率良く生成でき、ユーザビリティの高い情報処理プログラム、情報処理装置、及び情報処理方法を提供することが記載されている。
【先行技術文献】
【特許文献】
【０００４】
【特許文献１】特開２００７−２４５５００号公報
【特許文献２】特開２０１２−２０３７３９号公報
【発明の概要】
【発明が解決しようとする課題】
【０００５】
ファイル形式の変換を行う際、印刷データに印刷設定が含まれていると、画像処理装置の外部（例えば、ファイル形式変換サーバ）と、画像処理装置の内部の両方で印刷設定に基づく処理が実行される場合がある（重複処理）。
【０００６】
重複処理の一例としては、１枚の記録用紙に複数ページを割り当てる印刷設定（以下、「Ｎｕｐ」という）がなされている場合、画像処理装置の外部で、印刷可能な変換形式に変換するときにＮｕｐが実行され、かつ画像処理装置の内部でＮｕｐが実行されるといった事象である。
【０００７】
本発明は上記事実を考慮し、印刷処理を実行する前に、印刷設定に対する重複処理がなされる可能性を報知することができる画像処理装置を得ることが目的である。
【課題を解決するための手段】
【０００８】
請求項１に記載の発明は、サポートしていない形式の画像情報を受け付けた場合に、外部サーバによって前記画像情報をサポートしている形式に変換して画像形成する場合に、変換前後の印刷設定情報を比較し、印刷設定情報が重複している場合に、プレビュー画面又は重複していることを示すメッセージの少なくとも一方を表示する表示制御手段を有している。
【０００９】
請求項２に記載の発明は、サポートしていない形式の画像情報を受け付けた場合に、外部サーバによって前記画像情報をサポートしている形式に変換して画像形成する場合に、変換前後の印刷設定情報に基づく処理結果としての記録用紙の枚数を比較し、変換後の記録用紙の枚数が変換前の記録用紙の枚数よりも少ない場合に、プレビュー画面又は重複していることを示すメッセージの少なくとも一方を表示する表示制御手段を有している。
【００１０】
請求項３に記載の発明は、前記請求項１又は請求項２に記載の発明において、比較する変換前後の印刷設定情報が、画像の拡大又は縮小処理を必須とする印刷設定である。
【００１１】
請求項４に記載の発明は、前記請求項１又は請求項２に記載の発明において、比較する変換前後の印刷設定情報が、１枚の記録用紙に複数ページ分の画像を割り当てる印刷設定である。
【００１２】
請求項５に記載の発明は、前記請求項１〜請求項４の何れか１項記載の発明において、前記印刷設定情報の変更を指示可能な指示手段をさらに有する。
【００１３】
請求項６に記載の発明は、前記請求項１〜請求項５の何れか１項記載の発明において、前記サポートしていない形式の画像情報が、プリンタドライバを介さず、情報端末装置又は記憶媒体から、直接、画像処理装置本体へ画像情報を送出するダイレクト印刷で受け付けた画像情報である。
【発明の効果】
【００１４】
請求項１に記載の発明によれば、印刷処理を実行する前に、印刷設定に対する重複処理がなされる可能性を報知することができる。
【００１５】
請求項２に記載の発明によれば、印刷処理を実行する前に、印刷設定に対する重複処理がなされる可能性を報知することができる。
【００１６】
請求項３に記載の発明によれば、重複時にプレビュー画面又は重複を報知する印刷設定の対象を、重複すると画像に変化が起きる印刷設定とすることができる。
【００１７】
請求項４に記載の発明によれば、重複時にプレビュー画面又は重複を報知する印刷設定の対象を、重複すると画像に変化が起きるＮｕｐ印刷設定に絞り込むことができる。
【００１８】
請求項５に記載の発明によれば、プレビュー表示又は重複であることを示すメッセージを確認後、印刷設定情報の変更を指示することができる。
【００１９】
請求項６に記載の発明によれば、ダイレクト印刷をユーザ所望の印刷結果とすることができる。
【図面の簡単な説明】
【００２０】
【図１】本実施の形態に係る画像処理装置を含む通信回線網の概略図である。
【図２】本実施の形態に係る画像処理装置の正面図である。
【図３】本実施の形態に係る画像処理装置の制御系の構成を示すブロック図である。
【図４】画像処理装置が、非サポートデータを受け付けて、ダイレクト印刷を実行する工程図である
【図５】本実施の形態に係る画像処理装置のメインコントローラで実行されるダイレクト印刷を受け付けたときのデータ処理制御を機能別に示すブロック図である。
【図６】本実施の形態に係る画像処理装置のメインコントローラで実行されるダイレクト印刷を受け付けたときのデータ処理制御の流れを示すフローチャートである。
【図７】図６のステップ１２０に示す重複対応処理ルーチンの詳細を示す制御フローチャートである。
【図８】ダイレクト印刷を受け付けたとき画面の一例であり、（Ａ）はプレビューメイン画面、（Ｂ）は重複報知画面である。
【発明を実施するための形態】
【００２１】
図１に示される如く、本実施の形態に係る画像処理装置１０は、インターネット等の通信回線網１２に接続されている。通信回線網１２は、例えば、ＬＡＮ（ローカル・エリア・ネットワーク）又はインターネット回線であり、複数のＬＡＮが、ＷＡＮ（ワイド・エリア・ネットワーク）によって相互に接続されていてもよい。また、通信回線網１２を含む全ての通信回線網１２は、それぞれ有線接続である必要はない。すなわち、一部又は全部が無線によって情報を送受信する無線通信回線網であってもよい。
【００２２】
なお、図１では、１台の画像処理装置１０が接続されているが、この数は限定されるものではなく、２台以上であってもよい。
【００２３】
図１に示される如く、画像処理装置１０では、ユーザ５０が所持する通信端末装置５２から当該画像処理装置１０に対して、遠隔から直接データを転送して印刷を行なう場合、或いは、ＵＳＢメモリ５４を、画像処理装置１０に設けられたＵＳＢインターフェイス（Ｉ／Ｆ）３４に挿入し、ＵＳＢメモリ５４から直接データを受け付けて印刷を行なう場合がある。なお、本実施の形態では、「印刷」は、「画像形成」及び「プリント」と同義として扱う。
【００２４】
以下において、画像処理装置１０に対して、直接的にデータを供給することで実行される印刷を、「ダイレクト印刷」という。ダイレクト印刷は、通信回線網１２に接続された図示したＰＣ（パーソナルコンピュータ）に予めインストールされたプリンタドライバの処理を介してデータを受け付ける通常印刷とは区別される。
【００２５】
図１に示される如く、通信回線網１２には、ファイル形式変換サーバ５６が接続されている。
【００２６】
ファイル形式変換サーバ５６は、画像処理装置１０側でサポートしていないファイル形式を、画像処理装置１０でサポートしているファイル形式に変換する機能を有する。
【００２７】
すなわち、画像処理装置１０がダイレクト印刷で受け付けたデータがサポートしていないファイル形式（非サポートデータ）の場合に、当該画像処理装置１０は、非サポートデータをファイル形式変換サーバ５６へ一旦送出する。
【００２８】
ファイル形式変換サーバ５６では、画像処理装置１０でサポートしているファイル形式に変換した後、データを画像処理装置１０へ返送することで、画像処理装置１０では、受け付けたデータに基づく印刷が実行可能となる。
【００２９】
図２には、本実施の形態に係る画像処理装置１０が示されている。画像処理装置１０は、記録用紙に画像を形成する画像形成部２０と、原稿画像を読み取る画像読取部２２と、ファクシミリ通信制御部２４を備えている。
【００３０】
画像読取部２２は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００３１】
画像形成部２０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００３２】
画像処理装置１０は、メインコントローラ２６を備えており、画像形成部２０、画像読取部２２、ファクシミリ通信制御部２４を制御して、例えば、画像読取部２２で読み取った原稿画像の画像データを一時的に記憶したり、読み取った画像データを画像形成部２０又はファクシミリ通信制御部２４、或いは通信回線網１２を介して外部（例えば、ＰＣ）へ送出したりする。
【００３３】
メインコントローラ２６には前記通信回線網１２が接続され、ファクシミリ通信制御部２４には電話回線２７が接続されている。
【００３４】
図３は、画像処理装置１０のメインコントローラ２６及びファイル形式変換サーバ５６の制御系ブロック図である。
【００３５】
図３に示される如く、画像処理装置１０のメインコントローラ２６は、表示制御手段としてのＣＰＵ２６Ａ、ＲＡＭ２６Ｂ、ＲＯＭ２６Ｃ、入出力部２６Ｄ（以下Ｉ／Ｏ２６Ｄという）、及びこれらを接続するデータバスやコントロールバス等のバス２６Ｅを備えている。
【００３６】
Ｉ／Ｏ２６Ｄには、通信回線網１２との接続を可能とする通信Ｉ／Ｆ２８、表示制御手段として機能するＵＩ３０（例えば、図１に示す、筐体前面側に設置されたタッチパネル３０Ａ及びハードキー３０Ｂ）が接続されている。
【００３７】
通信Ｉ／Ｆ２８は、前記通信回線網１２との接続に限らず、無線により通信端末装置５２との接続が可能である。
【００３８】
また、Ｉ／Ｏ２６Ｄには、画像読取部２２、画像形成部２０、及びファクシミリ通信制御部２４が接続されている。
【００３９】
さらに、Ｉ／Ｏ２６Ｄには、大規模記録媒体としてのハードディスク３２が接続されている。ハードディスク３２は、ＰＣ１４等から受け付けたプリントジョブ（画像情報を含む）、画像読取部２２で読み取った画像情報、及び、ファクシミリ通信制御部２４で受信した画像情報等を一時的に格納する。
【００４０】
また、Ｉ／Ｏ２６Ｄには、ＵＳＢメモリ５４が挿入可能であり、メインコントローラ２６とＵＳＢメモリ５４との間でデータの送受信可能とするＵＳＢＩ／Ｆ３４が接続されている。
【００４１】
図３に示される如く、ファイル形式変換サーバ５６は、マイクロコンピュータ５８を備える。マイクロコンピュータ５８は、ＣＰＵ５８Ａ、ＲＡＭ５８Ｂ、ＲＯＭ５８Ｃ、入出力部５８Ｄ（以下Ｉ／Ｏ５８Ｄという）、及びこれらを接続するデータバスやコントロールバス等のバス５８Ｅを備えている。
【００４２】
Ｉ／Ｏ５８Ｄには、通信回線網１２との接続を可能とする通信Ｉ／Ｆ６０が接続されている。
【００４３】
また、Ｉ／Ｏ５８Ｄには、大規模記録媒体としてのハードディスク６２が接続されている。ハードディスク６２には、例えば、現存する種々のファイル形式に基づくコードを解読可能なテーブルが記憶されている。
【００４４】
ＣＰＵ５８Ａでは、受け付けたデータのファイル形式を解析して、ハードディスク６２から対応するコードを読み出して、画像処理装置１０で印刷可能なファイル形式に変換する。
【００４５】
本実施の形態では、ダイレクト印刷として、画像処理装置１０のＵＳＢＩ／Ｆ３４にＵＳＢメモリが差し込まれて印刷のためのデータを受け付ける場合、或いは、ユーザ５０が所持する通信端末装置５２から無線通信で印刷のためのデータを受け付ける場合がある。
【００４６】
ダイレクト印刷は、通常印刷（プリンタドライバを介して印刷のためのデータを受け付ける印刷）とは異なり、受け付けたデータのファイル形式が、画像処理装置１０でサポートされているとは限らない。
【００４７】
受け付けたデータのファイル形式がサポートされている場合は、特に問題はなく、通常印刷と同様に印刷が実行され、ユーザ５０が所望する処理結果（記録用紙上の印刷結果）となる。
【００４８】
一方、受け付けたデータのファイル形式がサポートされていない場合は、当該データを一旦ファイル形式変換サーバ５６へ転送し、画像処理装置１０で印刷が可能なファイル形式に変換するようになっている。
【００４９】
ところで、データには、印刷時にどのような状態で印刷するかを指定する印刷設定が含まれる場合がある。特に画像の拡大、縮小を伴う印刷設定の一例として、Ｎｕｐ印刷設定（１枚の記録用紙に複数ページを割り当てる印刷設定）がある。
【００５０】
（ダイレクト印刷の一例）
図４は、画像処理装置１０が、通信端末装置５２又はＵＳＢメモリ５４から、印刷設定としてＮｕｐ、例えば２ｕｐ（２ページ／枚）印刷設定が付加され、かつ、画像処理装置１０でサポートされていないファイル形式のデータ（非サポートデータ）を受け付けて、ダイレクト印刷を実行する工程を示している。
【００５１】
画像処理装置１０で受け付けたデータ（３ページ）は、サポートされていないファイル形式のまま、ファイル形式変換サーバ５６へ転送される。
【００５２】
ファイル形式変換サーバ５６では、画像処理装置１０でサポートされているファイル形式に変換するとともに、印刷設定（ここでは、２ｕｐ印刷設定）が付加されている場合は、画像処理装置１０へ返送する前に、印刷設定に基づく処理を行う。
【００５３】
従って、画像処理装置１０には、各ページの画像は１／２に縮小（７０％）され、１枚目の記録用紙に２ページ分の画像が配置され、２枚目の記録用紙に残りの１ページ分の画像が配置された、２ｕｐ処理後のデータが返送される。
【００５４】
一方、画像処理装置１０では、最初にダイレクト印刷を受け付けた時点で、印刷設定を認識しているため、ファイル形式変換サーバ５６から受け取ったサポート可能なファイル形式のデータに対して、印刷設定処理（すなわち、ここでは、２ｕｐ処理）が実行され、ユーザ５０の所望とは異なる処理結果となることがあった。
【００５５】
そこで、本実施の形態では、画像処理装置１０がダイレクト印刷を受け付けて、ファイル形式変換サーバ５６で実行された印刷設定情報ｃ１と、ファイル形式変換サーバ５６で印刷可能なファイル形式に変換された後のデータに付加された印刷設定情報ｃ２とを比較することで、印刷設定に基づく重複処理が実行される可能性を判断し、重複する可能性がある場合は、印刷を一時的に中断し、画像処理装置１０に対峙して印刷結果を待っているユーザ５０に報知するようにした。
【００５６】
報知は、より具体的には、画像処理装置１０のＵＩ３０のタッチパネル３０Ａにプレビュー画面を表示する、或いは、印刷設定の重複処理の可能を示唆するメッセージ（例えば、「２ｕｐ処理が２回実行されます」等）を表示する（図８参照、詳細後述）、の少なくとも一方を実行する。
【００５７】
図５は、本実施の形態に係る画像処理装置１０のメインコントローラ２６で実行されるダイレクト印刷を受け付けたときのデータ処理制御を機能別に示すブロック図である。なお、各ブロックは、メインコントローラ２６のハード構成を限定するものではない。例えば、一部又は全部の機能がＣＰＵ２６Ａにおいて起動するソフトウェア（記憶媒体に記憶された制御プログラム）によって処理される形態であってもよい。
【００５８】
通信端末装置５２又はＵＳＢメモリ５４から送出されるダイレクト印刷のためのデータ（ダイレクト印刷データ）は、受付部６４で受け付け、サポート有無判定部６６へ送出される。
【００５９】
サポート有無判定部６６では、受け付けたダイレクト印刷データのファイル形式が、画像処理装置１０でサポートしているファイル形式であるか否かを判定する。
【００６０】
サポート有無判定部６６は、データ展開部６８及び転送部７０に接続されている。
【００６１】
データ展開部６８には、サポートしているファイル形式のダイレクト印刷データ（サポートデータ）が送出される。また、転送部７０には、サポートしていないファイル形式のダイレクト印刷データ（非サポートデータ）が送出される。
【００６２】
データ展開部６８では、記録用紙上に画像を形成するためのラスターイメージデータを生成する（ＲＩＰ処理）。データ展開部６８は、指示部７２に接続されている。指示部７２では、生成したラスターイメージデータを受け取ると、画像形成部２０に対して、当該ラスターイメージデータに基づく印刷を指示する。
【００６３】
一方、転送部７０では、受け取った非サポートデータを、通信回線網１２（図１及び図３参照、図５では図示省略）を介してファイル形式変換サーバ５６へ転送する。
【００６４】
ファイル形式変換サーバ５６では、非サポートデータを、画像処理装置１０で印刷可能なファイル形式のデータ（サポートデータ）に変換し、返信情報として返信情報受付部７４へ送出する。サポートデータは、ダイレクト印刷時に指定され付加されている印刷設定に基づいて、例えば、Ｎｕｐ処理等の画像の拡大又は縮小処理が実行された状態であり、返信情報は、ダイレクト印刷を受け付けた当初の印刷設定情報ｃ２が付加されたサポートデータと、ファイル形式変換サーバ５６で実行された印刷設定情報ｃ１とを備える。
【００６５】
返信情報受付部７４は、第１取得部７６及び第２取得部７８に接続されている。第１取得部７６は、返信情報の中から印刷設定情報ｃ１を取得する。また、第２取得部７８は、返信情報の中からサポートデータを取得する。
【００６６】
第１取得部７６で取得したサポートデータは、データ展開部６８へ送出される。また、第１取得部７６は読出部８０に接続されている。読出部８０では、サポートデータに付加されている印刷設定情報ｃ２を読み出す。
【００６７】
読出部８０及び第２取得部７８は、それぞれ比較部８２に接続されている。比較部８２では、印刷設定情報ｃ１と印刷設定情報ｃ２とが比較される。
【００６８】
この比較の結果、重複する印刷設定情報が存在する場合は、ファイル形式変換サーバ５６におけるファイル形式変換時と、データ展開部６８でのラスターイメージデータの生成時との双方で、重複して印刷設定に基づく処理が実行されることになる。
【００６９】
例えば、印刷設定として、２ｕｐ設定がなされている場合、記録用紙上の出力結果がページ単位の縮小倍率が（１／２）×（１／２）＝１／４となり、ユーザ５０の所望の結果とはならない。
【００７０】
比較部８２は、待機制御部８４に接続されており、比較部８２での比較の結果、重複が存在し、かつ、ユーザ５０の所望の結果とならないことが判明した場合には、待機制御部８４は、指示部７２を制御して、印刷を一時的に中断させる、あるいは、中断後にユーザ５０の指示により再開させる。
【００７１】
また、待機制御部８４では、ＵＩ３０のタッチパネル３０Ａを制御して、印刷（印刷）結果のプレビュー画面、重複した旨のメッセージ画面、印刷の実行可否選択画面等を表示する（図８参照）。
【００７２】
以下に本実施の形態の作用を、図６及び図７のフローチャートに従い説明する。
【００７３】
図６は、本実施の形態に係る画像処理装置１０のメインコントローラ２６で実行されるダイレクト印刷を受け付けたときのデータ処理制御の流れを示すフローチャートである。
【００７４】
ステップ１００では、ダイレクト印刷を受け付けたか否かを判断し、否定判定された場合は、このルーチンは終了する。また、ステップ１００で肯定判定されると、ステップ１０２へ移行して、ファイル形式がサポートされているか否かを判定する。
【００７５】
ステップ１０２で肯定判定された場合は、画像処理装置１０でサポートされているファイル形式であり、このまま印刷可能なデータ（サポートデータ）であるため、ステップ１１６へ移行する。
【００７６】
また、ステップ１０２で否定判定された場合は、画像処理装置１０でサポートされていないファイル形式であり、このままでは印刷不可能なデータ（非サポートデータ）であるため、ステップ１０４へ移行する。
【００７７】
ステップ１０４では、非サポートデータをファイル形式変換サーバ５６へ転送し、ステップ１０６へ移行する。
【００７８】
ファイル形式変換サーバ５６では、非サポートデータのファイル形式を解析して、ハードディスク６２から対応するコードを読み出して、画像処理装置１０で印刷可能なファイル形式に変換する。このとき、非サポートデータに、Ｎｕｐ等の印刷設定が付加されている場合は、ファイル形式を変換した後、Ｎｕｐ印刷設定処理がなされた状態でサポートデータが生成される。
【００７９】
サポートデータは、印刷設定情報ｃ１と共に、返信情報として、画像処理装置１０へ返信される。
【００８０】
ステップ１０６では、ファイル形式変換サーバ５６から返信情報の返信があったか否かを判断し、肯定判定されるまで待機する。このステップ１０６で肯定判定されると、ステップ１０８へ移行して、返信情報から印刷設定情報ｃ１を取得し、ステップ１１０へ移行する。
【００８１】
ステップ１１０では、ファイル形式変換サーバ５６から返信されたサポートデータに付加された印刷設定情報ｃ２を読み出し、ステップ１１２へ移行する。
【００８２】
ステップ１１２では、印刷設定情報ｃ１と印刷設定情報ｃ２とを比較する。比較することで、印刷設定に基づく重複処理が実行される可能性を判断する。
【００８３】
次のステップ１１４では、重複処理が有るか否かを判断し、否定判定された場合は、Ｎｕｐに代表される画像の拡大又は縮小に絡む印刷設定は重複しないと判断し、ステップ１１６へ移行する。
【００８４】
ステップ１１６では、データ展開し、次いでステップ１１８へ移行して印刷実行を指示して、このルーチンは終了する。
【００８５】
また、ステップ１１４で肯定判定、すなわち、重複処理があると判定された場合は、Ｎｕｐに代表される画像の拡大又は縮小に絡む印刷設定が重複すると判断し、ステップ１２０へ移行して重複対応処理（図７参照）を実行する。
【００８６】
図７は、図６のステップ１２０に示す重複対応処理ルーチンを示す制御フローチャートである。
【００８７】
ステップ１５０では、画像形成部２０に対して、印刷を一時的に待機するように指示し、次いでステップ１５２へ移行して、ＵＩ３０のタッチパネル３０Ａにプレビューと、メッセージの表示を指示する（図８参照）。
【００８８】
表示形態（プレビューかメッセージ報知か）は、ＵＩ３０のタッチ操作によって切り替え可能である。
【００８９】
図８は、ＵＩ３０のタッチパネル３０Ａに表示される、ダイレクト印刷を受け付けたときのプレビュー画面の一例であり、図８（Ａ）はプレビューメイン画面８７である。図８（Ａ）に示されるプレビューメイン画面８７では、１ジョブ分（複数ページ分）の記録用紙画面８８が表示されると共に、印刷開始指示ボタン画面８９と、印刷設定変更指示ボタン画面９０とが表示される。ユーザ５０は、タッチ操作によって、印刷開始指示又は印刷設定変更指示が可能である。
【００９０】
本実施の形態において、重複対応処理（図７の重複対応処理ルーチン）で示すように、重複対応処理におけるメッセージ報知は、図８（Ｂ）に示される重複報知画面９２が表示される。
【００９１】
ユーザ５０は、この重複報知画面９２のメッセージに従って、「Ｙｅｓ」指示画面９４又は「Ｎｏ」指示画面９６をタッチ操作することで、印刷設定を変更するか否かを指示する。
【００９２】
「Ｙｅｓ」指示画面９４又は「Ｎｏ」指示画面９６のタッチ操作後は、図８（Ａ）のプレビューメイン画面８７に戻り、印刷設定変更後のプレビュー画面が表示される。ユーザ５０は変更後の状態を確認し、印刷開始を指示する。なお、印刷中止の場合は、ＵＩ３０の既存のキャンセルボタン等を操作すればよい。
【００９３】
図７に示される如く、ステップ１５４では、ステップ１５２でのタッチパネル３０Ａへの表示形態に従い、重複した印刷設定の解除指示が有ったか否かを判断する。
【００９４】
ステップ１５４で否定判定された場合は、ステップ１５６へ移行して印刷再開指示が有ったか否かを判断する。このステップ１５６で否定判定された場合は、ステップ１５８へ移行して、印刷中止指示が有ったか否かを判断する。ステップ１５８で否定判定された場合は、ステップ１５４へ戻る。すなわち、ステップ１５４、１５６、又は１５８の何れかで肯定判定されるまで、ステップ１５４、１５６、１５８を繰り返す。
【００９５】
ここで、ステップ１５４で肯定判定された場合は、ステップ１６０へ移行して重複した印刷設定の解除処理を実行し、ステップ１５４へ戻る。なお、一度解除指示があった場合は、ステップ１６０に移行しても特に処理は実行されず、ステップ１５４へ戻る。
【００９６】
また、ステップ１５６で肯定判定された場合は、ステップ１６２へ移行して、データ展開し、次いでステップ１６４へ移行して印刷実行を指示して、このルーチンは終了する。
【００９７】
さらに、ステップ１５８で肯定判定された場合は、ステップ１６６へ移行して、印刷中止処理を実行してこのルーチンは終了する。
【００９８】
（変形例）
なお、本実施の形態では、第１取得部７６で返信情報の中から印刷設定情報ｃ１を取得し、読出部８０でサポートデータに付加されている印刷設定情報ｃ２を読み出し、比較部８２で、印刷設定情報ｃ１と印刷設定情報ｃ２とを比較することで、印刷設定が重複しているか否かを判断するようにしたが、ファイル形式変換サーバ５６で実行される印刷設定に基づく処理前と処理後の記録用紙の枚数の差に基づいて判断してもよい。
【００９９】
以下に、記録用紙の枚数の比較とその対応の一例を示す。
【０１００】
処理前の枚数Ｐ１＝処理後の枚数Ｐ２であれば、枚数が一致しているため、ユーザ５０の所望の印刷が可能である。
【０１０１】
処理前の枚数Ｐ１＜処理後の枚数Ｐ２の場合、フォントの拡大等といった特異な理由で枚数が増加していると判断し、本実施の形態の重複ではないため、エラー処理を実行する、或いは、そのまま印刷を継続する。
【０１０２】
処理前の枚数Ｐ１＞処理後の枚数Ｐ２の場合、本実施の形態の重複が発生しているため、図６のステップ１２０で示す重複対応処理（図７に示す制御ルーチン）を実行する。
【０１０３】
なお、本実施の形態では、印刷設定として、Ｎｕｐ等による画像の縮小を例にとり説明したが、ファイル形式変換サーバ５６による変換による重複判定、並びにその後のプレビュー表示又はメッセージ表示は、ポスター印刷等の画像の拡大を印刷設定とした場合、或いは表形式の画像の行又は列を１枚に収めるための拡大又は縮小を印刷設定とした場合を対象としてもよい。
【符号の説明】
【０１０４】
１０    画像処理装置
１２    通信回線網
５０    ユーザ
５２    通信端末装置
５４    ＵＳＢメモリ
３４    ＵＳＢインターフェイス（Ｉ／Ｆ）
５６    ファイル形式変換サーバ
２０    画像形成部
２２    画像読取部
２４    ファクシミリ通信制御部
２６    メインコントローラ
２７    電話回線
２６Ａ    ＣＰＵ（表示制御手段）
２６Ｂ    ＲＡＭ
２６Ｃ    ＲＯＭ
２６Ｄ    入出力部（Ｉ／Ｏ）
２６Ｅ    バス
２８    通信Ｉ／Ｆ
３０    ＵＩ
３０Ａ    タッチパネル
３０Ｂ    ハードキー
３２    ハードディスク
５８    マイクロコンピュータ
５８Ａ    ＣＰＵ
５８Ｂ    ＲＡＭ
５８Ｃ    ＲＯＭ
５８Ｄ    入出力部（Ｉ／Ｏ）
５８Ｅ    バス
６０    通信Ｉ／Ｆ
６２    ハードディスク
６４    受付部
６６    サポート有無判定部
６８    データ展開部
７０    転送部
７２    指示部
７４    返信情報受付部
７６    第１取得部
７８    第２取得部
８０    読出部
８２    比較部
８４    待機制御部
８５    プレビューメイン画面
８６    記録用紙画面
８７    プレビューサブ画面
８８    記録用紙画面
８９    印刷開始指示ボタン画面
９０    印刷設定変更指示ボタン画面
９２    重複報知画面
９４    「Ｙｅｓ」指示画面
９６    「Ｎｏ」指示画面
【図１】
2018176629.tif 000003
【図２】
2018176629.tif 000004
【図３】
2018176629.tif 000005
【図４】
2018176629.tif 000006
【図５】
2018176629.tif 000007
【図６】
2018176629.tif 000008
【図７】
2018176629.tif 000009
【図８】
2018176629.tif 000010